(57)【要約】【課題】複数の室内機ユニットにおいて、フィルタから取り除かれた塵埃などの回収を容易にすることができる空気調和機を提供する。【解決手段】少なくとも二つの室内機ユニット３Ａ，３Ｂ，３Ｃと室外機ユニット５とが設けられた空気調和機１であって、室内機ユニット３Ａ，３Ｂ，３Ｃには、室内機ユニット３Ａ，３Ｂ，３Ｃ内に流入する室内空気に含まれる塵埃を捕集するフィルタと、フィルタに捕集された塵埃を取り除く塵埃除去部と、塵埃除去部に取り除かれた塵埃を一時的に貯留する塵埃貯留部と、が備えられ、少なくとも二つの塵埃貯留部に貯留された塵埃が集められる塵埃集積部７が設けられている。【選択図】図１
2011226779.tif 000002
【特許請求の範囲】
【請求項１】
少なくとも二つの室内機ユニットと室外機ユニットとが設けられた空気調和機であって、
前記室内機ユニットには、
前記室内機ユニット内に流入する室内空気に含まれる塵埃を捕集するフィルタと、
該フィルタに捕集された塵埃を取り除く塵埃除去部と、
該塵埃除去部に取り除かれた塵埃を一時的に貯留する塵埃貯留部と、が備えられ、
少なくとも二つの前記塵埃貯留部に貯留された塵埃が集められる塵埃集積部が設けられていることを特徴とする空気調和機。
【請求項２】
前記塵埃集積部には、前記塵埃を内部に納めるとともに、前記塵埃集積部から取り出し可能な収納容器が設けられていることを特徴とする請求項１記載の空気調和機。
【請求項３】
前記塵埃貯留部と前記塵埃集積部との間には、前記塵埃を搬送する搬送ダクトが設けられ、
該搬送ダクトには、前記塵埃を前記塵埃集積部へ搬送する搬送ファンが設けられていることを特徴とする請求項１または２に記載の空気調和機。
【請求項４】
前記室内機ユニットには、室外気を導入する導入ダクトが設けられ、
該導入ダクトによる前記室外気の導入に、前記搬送ファンが用いられることを特徴とする請求項３記載の空気調和機。
【請求項５】
前記塵埃貯留部には、前記塵埃が前記搬送ダクトに吸込まれる吸込み部が設けられ、
前記塵埃貯留部の底面は、前記吸込み部に向かって下方に傾斜する傾斜面であることを特徴とする請求項３または４に記載の空気調和機。
【請求項６】
前記塵埃貯留部には、前記塵埃貯留部内に空気が流入する給気部が設けられ、
前記塵埃貯留部の一方の端部に前記吸込み部が設けられ、他方の端部に前記給気部が設けられていることを特徴とする請求項５記載の空気調和機。
【請求項７】
前記吸込み部は、前記搬送ダクトの外周を覆うとともに、前記塵埃の吸出し方向に向かって断面積が広くなる筒状に形成されていることを特徴とする請求項５または６に記載の空気調和機。
【発明の詳細な説明】
【技術分野】
【０００１】
本発明は、空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１から３参照。）。
【先行技術文献】
【特許文献】
【０００５】
【特許文献１】特開２００４−２６３９８４号公報
【特許文献２】特開２００５−８３７２１号公報
【特許文献３】特開２００５−３０８２７４号公報
【発明の概要】
【発明が解決しようとする課題】
【０００６】
上述の特許文献１から３には、個々の室内機ユニットにおけるエアフィルタの清掃に係る技術が開示されている。これら開示された技術において、エアフィルタから取り除かれた塵埃などは、個々の室内機ユニット内に蓄積されたり（特許文献２，３）、個々の室内機ユニットから室外に排出されたり（特許文献１）している。つまり、取り除かれた塵埃などの処分は室内機ユニットごとに行われている。
【０００７】
しかしながら、複数の室内機ユニットが備えられた施設や、複数の室内機ユニットを備えるマルチ型空気調和機などにおいて、個々の室内機ユニットに蓄積された塵埃の除去、回収を行うとすると、ユーザにとって塵埃などの回収の手間がかかるという問題があった。
また、個々の室内機ユニットについて塵埃などを室外に排出する場合でも、室外から離れた位置に設けられた室内機ユニットに、塵埃を排出するダクト等を配置することは配置スペースの確保や設置コストの上昇等の観点から困難であった。
【０００８】
本発明は、上記の課題を解決するためになされたものであって、複数の室内機ユニットにおいて、フィルタから取り除かれた塵埃などの回収を容易にすることができる空気調和機を提供することを目的とする。
【課題を解決するための手段】
【０００９】
上記目的を達成するために、本発明は、以下の手段を提供する。
本発明の空気調和機は、少なくとも二つの室内機ユニットと室外機ユニットとが設けられた空気調和機であって、前記室内機ユニットには、前記室内機ユニット内に流入する室内空気に含まれる塵埃を捕集するフィルタと、該フィルタに捕集された塵埃を取り除く塵埃除去部と、該塵埃除去部に取り除かれた塵埃を一時的に貯留する塵埃貯留部と、が備えられ、少なくとも二つの前記塵埃貯留部に貯留された塵埃が集められる塵埃集積部が設けられていることを特徴とする。
【００１０】
本発明によれば、塵埃集積部が設けられているため、複数の室内機ユニットにおいて、フィルタから取り除かれた塵埃の回収を容易にすることができる。
塵埃集積部には、少なくとも二つの塵埃貯留部に貯留された塵埃が集められているため、塵埃集積部に集められた塵埃を回収することで、少なくとも二つの塵埃貯留部に貯留された塵埃を一括して回収することができる。つまり、塵埃集積部から塵埃を回収することで、少なくとも二つの室内機ユニットにおいてフィルタから取り除かれた塵埃を回収することができる。
【００１１】
上記発明においては、前記塵埃集積部には、前記塵埃を内部に納めるとともに、前記塵埃集積部から取り出し可能な収納容器が設けられていることが望ましい。
【００１２】
本発明によれば、塵埃集積部には収納容器が設けられているため、塵埃集積部から塵埃を容易に回収することができる。
収納容器は、塵埃集積部に集められた塵埃を内部に収めることができる。また、収納容器は、塵埃集積部から取り出し可能に構成されている。そのため、塵埃集積部から収納容器を取り出すことにより、塵埃集積部に集められた塵埃を容易に回収することができる。
【００１３】
上記発明においては、前記塵埃貯留部と前記塵埃集積部との間には、前記塵埃を搬送する搬送ダクトが設けられ、該搬送ダクトには、前記塵埃を前記塵埃集積部へ搬送する搬送ファンが設けられていることが望ましい。
【００１４】
本発明によれば、搬送ダクトと搬送ファンとが設けられているため、塵埃貯留部に貯留された塵埃を塵埃集積部に確実に集めることができる。
搬送ダクトは、各塵埃貯留部と塵埃集積部との間を繋いで配置されている。そのため、各塵埃貯留部に貯留された塵埃を、搬送ダクトを通して塵埃集積部に集めることができる。また、搬送ダクトには、塵埃を塵埃集積部へ搬送する搬送ファンが設けられている。そのため、塵埃貯留部に貯留された塵埃は、搬送ファンにより吸い出され、塵埃集積部に送り込まれる。
【００１５】
上記発明においては、前記室内機ユニットには、室外気を導入する導入ダクトが設けられ、該導入ダクトによる前記室外気の導入に、前記搬送ファンが用いられることが望ましい。
【００１６】
本発明によれば、導入ダクトが設けられているため、室内機ユニットを介して室外気を室内に導入することができる。
導入ダクトによる室外気の導入に搬送ファンを用いているため、室外気の導入に専用のファンを用いる方法と比較して、使用するファンの数を減らすことができ、設置スペースの削減を図るとともに、製造コストの低減を図ることができる。
【００１７】
上記発明においては、前記塵埃貯留部には、前記塵埃が前記搬送ダクトに吸込まれる吸込み部が設けられ、前記塵埃貯留部の底面は、前記吸込み部に向かって下方に傾斜する傾斜面であることが望ましい。
【００１８】
本発明によれば、塵埃貯留部の底面は、吸込み部に向かって下方に傾斜する傾斜面であるため、塵埃貯留部内の塵埃を効率よく塵埃集積部に集めることができる。
塵埃貯留部の底面は、吸込み部に向かって下方に傾斜する傾斜面であるため、塵埃貯留部内の塵埃は、重力によって吸込み部の周辺に集められる。そのため、塵埃貯留部内の塵埃は、効率よく吸込み部から搬送ダクトに吸込まれ、塵埃集積部に集められる。
【００１９】
上記発明においては、前記塵埃貯留部には、前記塵埃貯留部内に空気が流入する給気部が設けられ、前記塵埃貯留部の一方の端部に前記吸込み部が設けられ、他方の端部に前記給気部が設けられていることが望ましい。
【００２０】
本発明によれば、塵埃貯留部の一方の端部に吸込み部が設けられ、他方の端部に給気部が設けられているため、塵埃貯留部内の塵埃を効率よく塵埃集積部に集めることができる。
塵埃貯留部の一方の端部に吸込み部が設けられ、他方の端部に給気部が設けられているため、給気部から塵埃貯留部内に流入した空気は吸込み部に向かって流れる。塵埃はこの空気の流れによって吸込み部の周辺に集められる。そのため、塵埃貯留部内の塵埃を効率よく吸込み部に吸い込ませて、塵埃集積部に集めることができる。
【００２１】
上記発明においては、前記吸込み部は、前記搬送ダクトの外周を覆うとともに、前記塵埃の吸出し方向に向かって断面積が広くなる筒状に形成されていることが望ましい。
【００２２】
本発明によれば、吸込み部は、搬送ダクトの外周を覆うとともに、塵埃の吸出し方向に向かってその断面積が広くなる筒状に形成されているため、塵埃貯留部と搬送ダクトとの接続を容易にすることができる。
吸込み部に搬送ダクトを差し込む場合、吸込み部は先端側の断面積が広くなる筒状に形成されているため、搬送ダクトを吸込み部に容易に差し込むことができる。
【発明の効果】
【００２３】
本発明の空気調和機によれば、塵埃集積部が設けられているため、複数の室内機ユニットにおいて、フィルタから取り除かれた塵埃の回収を容易にすることができるという効果を奏する。
【図面の簡単な説明】
【００２４】
【図１】本発明の一実施形態における空気調和機の構成を説明する概略図である。
【図２】図１の塵埃集積部の構成を説明する模式図である。
【図３】図１の搬送ファン、搬送ダクトおよび導入ダクトの構成を説明する模式図である。
【図４】図１の天井埋め込み型室内機ユニットの構成を説明する模式図である。
【図５】図４の吸込みグリルの構成を説明する模式図である。
【図６】図４のダストボックスの構成を説明する断面図である。
【図７】図６のダストボックスの構成を説明する部分拡大図である。
【図８】図６のダストボックスの構成を説明する部分斜視図である。
【図９】図６の蓋部の構成を説明する平面図である。
【図１０】図９の蓋部の構成を説明する断面図である。
【発明を実施するための形態】
【００２５】
この発明の一実施形態に係る空気調和機について、図１から図１０を参照して説明する。
図１は、本実施形態における空気調和機の構成を説明する概略図である。
空気調和機１は、図１に示すように、天井埋め込み型の室内機ユニット３Ａ，３Ｂと、壁掛け型の室内機ユニット３Ｃと、室外機ユニット５と、塵埃集積部７とを備えている。
【００２６】
室内機ユニット３Ａ，３Ｂ，３Ｃは、室内空気と冷媒との間で熱交換を行うことにより、室内空気を所定の温度に調温し、調温された室内空気を室内に吹き出すものである。
室内機ユニット３Ａ，３Ｂは、天井に埋め込まれるタイプの室内機ユニットである。室内機ユニット３Ａは、後述する天面パネル３９に室内空気をユニット内に吸入する吸込みグリル５１と、ユニットから室内空気を吹き出す吹出口５３とが設けられている室内機ユニットである。室内機ユニット３Ｂは、後述する天面パネル３９に少なくとも室内空気をユニット内に吸入する吸込みグリル５１が設けられ、ユニットから室内空気を吹き出す吹き出しダクト５３Ａが天面パネル３９とは別個に設けられた室内機ユニットである。
また、室内機ユニット３Ｃは、壁面に設置されるタイプの室内機ユニットである。これら室内機ユニット３Ａ，３Ｂ，３Ｃと室外機ユニット５との間には、冷媒が循環する冷媒配管（図示せず）が配置されている。
【００２７】
室外機ユニット５は、室内機ユニット３Ａ，３Ｂ，３Ｃとの間で冷凍サイクルを構成するものである。室外機ユニット５には、冷媒を圧縮する圧縮機（図示せず）と、室外気と冷媒との間で熱交換を行う室外熱交換器（図示せず）と、室外熱交換器に室外気を送風する室外ファン（図示せず）などが備えられている。
【００２８】
図２は、図１の塵埃集積部の構成を説明する模式図である。
塵埃集積部７は、各室内機ユニット３Ａ，３Ｂ，３Ｃから塵埃が集められるものである。塵埃集積部７は開閉扉９が設けられた天井内に配置され、後述する各室内機ユニット３Ａ，３Ｂ，３Ｃから延びる搬送ダクト２３が接続されている。
塵埃集積部７は、図２に示すように、本体１１と、収納容器１３とを備えている。本体１１は、収納容器１３を内部に配置および取出し可能に収める筐体である。本体１１には、搬送ダクト２３と排気ダクト２４とが接続されている。収納容器１３は、塵埃が内部に納められる容器である。収納容器１３には、流入部１５と、排気部１７と、把持部１９とが設けられている。流入部１５は、搬送ダクト２３と対向する位置に設けられた開口部であって、収納容器１３内に塵埃が流入する孔である。排気部１７は、排気ダクト２４と対向する位置に設けられた開口部であって、収納容器１３内に流入した塵埃と空気の内、空気のみが排出される孔である。排気部１７には、塵埃の排出を防止する排気フィルタ２１が設けられている。排気ダクト２４は、収納容器１３から排出された空気を外部に導く管路である。把持部１９は、収納容器１３を取り出す場合などに掴まれる部分である。
【００２９】
塵埃集積部７と各室内機ユニット３Ａ，３Ｂ，３Ｃとの間には、図１に示すように、搬送ダクト２３と搬送ファン２５Ａ，２５Ｂとが設けられている。搬送ダクト２３は、各室内機ユニット３Ａ，３Ｂ，３Ｃから塵埃を塵埃集積部７に送る管路である。搬送ファン２５Ａ，２５Ｂは、室内機ユニット３Ａ，３Ｂ，３Ｃから塵埃を吸い取り、塵埃集積部７に送るファンである。
搬送ファン２５Ａは、室内機ユニット３Ａ，３Ｃと接続する搬送ダクト２３に設けられたファンである。搬送ファン（導入ファン）２５Ｂは、室内機ユニット３Ｂと接続する搬送ダクト２３に設けられたファンであって、搬送ファン２５Ｂには、室外気を導入する導入ダクト２７Ａ，２７Ｂが接続されている。
なお、本実施形態においては、搬送ファン２５Ａ，２５Ｂを遠心式の送風ファンに適用して説明しているが、遠心式送風ファンに限られることなく、その他の公知の送風ファンを用いてもよく、特に限定するものではない。
【００３０】
図３は、図１の搬送ファン、搬送ダクトおよび導入ダクトの構成を説明する模式図である。
ここで、搬送ファン２５Ｂと、搬送ダクト２３Ａ，２３Ｂおよび導入ダクト２７Ａ，２７Ｂとの接続部の構成を、図３を参照しながら説明する。
搬送ファン２５Ｂはケーシング２９内に収められ、ケーシング２９内は流入室３１と流出室３３とに分けられている。室外と搬送ファン２５Ｂとを繋ぐ導入ダクト２７Ａは、流入室３１と連通するようにケーシング２９に接続されている。搬送ファン２５Ｂと室内機ユニット３Ａとを繋ぐ導入ダクト２７Ｂは、流出室３３と連通するようにケーシング２９に接続されている。塵埃集積部７と搬送ファン２５Ｂとを繋ぐ搬送ダクト２３Ａは、流出室３３と連通するようにケーシング２９に接続されている。搬送ファン２５Ｂと室内機ユニット３Ａとを繋ぐ搬送ダクト２３Ｂは、流入室３１と連通するようにケーシング２９に接続されている。
さらに、導入ダクト２７Ａ，２７Ｂおよび搬送ダクト２３Ａ，２３Ｂには、空気の流通を制御するダンパ３５が設けられている。例えば、ダンパ３５は、導入ダクト２７Ａ，２７Ｂおよび搬送ダクト２３Ａ，２３Ｂのケーシング２９近傍に配置されている。
【００３１】
図４は、図１の天井埋め込み型室内機ユニットの構成を説明する模式図である。
次に、室内機ユニット３Ａの構成について説明する。
室内機ユニット３Ａは、図１に示すように、筐体３７と、天面パネル３９と、エアフィルタ（フィルタ）４１と、ベルマウス４３と、室内ファン４５と、ファンモータ４７と、室内熱交換器４９とを備えている。
筐体３７は、室内ファン４５や室内熱交換器４９などを内部に納めるものであって、天井に埋め込まれて配置されるものである。
天面パネル３９は、天井に埋め込まれた室内機ユニット３Ａにおける室内に露出部を構成するものである。天面パネル３９の略中央には、室内空気が室内機ユニット３内に流入する吸込みグリル５１が設けられている。天面パネル３９における吸込みグリル５１の周囲には、室内熱交換器４９を通過した室内空気が吹き出される吹出口５３が設けられている。
エアフィルタ４１は、室内機ユニット３Ａ内に流入する室内空気に含まれる塵埃を取り除くフィルタである。エアフィルタ４１は、吸込みグリル５１とベルマウス４３との間に配置され、吸込みグリル５１に固定されている。
ベルマウス４３は、室内ファン４５に流入する室内空気の流れを整えるものである。ベルマウス４３は、エアフィルタ４１と室内ファン４５との間に配置され、筐体３７に固定されている。
室内ファン４５は、ファンモータ４７とともに、室内空気を室内機ユニット３Ａ内に流入させ、室内熱交換器４９を通過させた後、室内機ユニット３Ａから吹き出させるものである。室内ファン４５はファンモータ４７と接続され、ファンモータ４７により回転駆動されるものである。ファンモータ４７は、電力が供給されることにより、室内ファン４５を回転駆動させるものである。ファンモータ４７は、筐体３７における天板５５の略中央に配置されている。
室内熱交換器４９は、室内空気と冷媒との間で熱交換を行うものであって、室内熱交換器４９は、上述の室外機ユニット５の室外熱交換器や圧縮機などとともに冷凍サイクルを構成するものである。室内熱交換器４９は、筐体３７内において室内ファン４５の周囲を囲むように配置されている。室内熱交換器４９と筐体３７における側壁５７との間には、熱交換された室内空気が流れる流出流路５９が形成されている。流出流路５９は、上述の吹出口５３と連通されている。
【００３２】
図５は、図４の吸込みグリルの構成を説明する模式図である。
吸込みグリル５１には、支持部６１と、塵埃除去部６３と、ダストボックス（塵埃貯留部）６５と、昇降部６７とが設けられている。
支持部６１は、吸込みグリル５１の縁部に設けられ、エアフィルタ４１を支持する一対の部材である。支持部６１に支持されることにより、エアフィルタ４１と吸込みグリル５１との間に、塵埃除去部６３およびダストボックス６５が配置される空間が形成されている。
【００３３】
塵埃除去部６３およびダストボックス６５は、エアフィルタ４１に捕集された塵埃を取り除き一時的に貯留するものである。
塵埃除去部６３は、エアフィルタ４１に付着した塵埃を取り除くものであって、エアフィルタ４１における室内空気流入側の面と接触するように配置されている。塵埃除去部６３には、ブラシ部６９と、本体部７１とが備えられている。ブラシ部６９は、エアフィルタ４１における室内空気流入側の面と接触することで、エアフィルタ４１に捕集された塵埃を取り除くものである。本体１１は、ブラシ部６９を保持するものである。
【００３４】
図６は、図４のダストボックスの構成を説明する断面図である。図７は、図６のダストボックスの構成を説明する部分拡大図である。図８は、図６のダストボックスの構成を説明する部分斜視図である。
ダストボックス６５は、エアフィルタ４１から取り除かれた塵埃を一時的に貯留するものであって、塵埃除去部６３を下方から覆うように配置されている。
ダストボックス６５は、図６に示すように、ボックス本体７３と、吸込み部７５と、給気部７７と、を備えている。ボックス本体７３は、内部に塵埃除去部６３が納められるとともに、エアフィルタ４１から取り除かれた塵埃が一時的に貯留されるものである。ボックス本体７３には、塵埃除去部６３のブラシ部６９がエアフィルタ４１と接触するための開口部７９が形成されている。開口部７９は、後述する蓋部８５により塞がれるものでもある。ボックス本体７３の底面８１は、後述する給気部７７から吸込み部７５に向けて、低くなる傾斜面とされている。また、底面８１は、図７に示すように、断面において中央部が最も低くなる凹状に形成されている。
吸込み部７５は、ダストボックス６５内に貯留された塵埃が搬送ダクト２３に吸込まれる部分であって、図６に示すように、ボックス本体７３の一方の端部に設けられている。吸込み部７５は、ボックス本体７３の底面８１近傍から、ボックス本体７３の外部にまで延びる筒状の部材である。吸込み部７５の上方端部は、搬送ダクト２３と接続する接続端部８３であって、上方に向かって半径が広くなるラッパ状の形状に形成されている（図７および８参照）。
給気部７７は、ボックス本体７３の開口部７９が蓋部８５により塞がれた場合に、ボックス本体７３内に空気を供給するものであって、図６に示すように、ボックス本体７３の他方の端部に設けられている。吸込み部７５は、ボックス本体７３の底面８１近傍から、ボックス本体の外部にまで延びる筒状の部材である。
【００３５】
図９は、図６の蓋部の構成を説明する平面図である。図１０は、図９の蓋部の構成を説明する断面図である。
蓋部８５は、塵埃をダストボックス６５から搬送ダクト２３に吸込む場合に、ボックス本体７３の開口部７９を塞ぐものである。
蓋部８５は、図９に示すように、塵埃除去部６３およびダストボックス６５が移動方向上であって、エアフィルタ４１に隣接する位置に配置されている。蓋部８５におけるダストボックス６５と対向する対向面８７（図１０の下面）は、エアフィルタ４１から離れる方向に向かって、ダストボックス６５側（図１０の下側）に傾く傾斜面として形成されている。
塵埃除去部６３およびダストボックス６５は、エアフィルタ４１の全面と、蓋部８５とを合わせた領域を移動可能とされている。
【００３６】
昇降部６７は、吸込みグリル５１を室内機ユニット３Ｂから昇降させるものである（図４参照）。昇降部６７は、図６に示すように、昇降モータ８９と、プーリ９１と、ワイヤ９３と、を備えている。
昇降モータ８９は、筐体３７に配置され、吸込みグリル５１を室内機ユニット３Ｂから昇降させるものである。昇降モータ８９には、ワイヤ９３を巻き取り・巻き戻しするスプロール９５が配置されている。
プーリ９１は、自ら回転することによりワイヤ９３を移動可能に支持するものである。プーリ９１は、吸込みグリル５１の四隅に配置されている。
ワイヤ９３は、プーリ９１を介して両端が昇降モータ８９と筐体３７に固定されている。具体的には、ワイヤ９３は、筐体３７に固定された端部から、吸込みグリル５１の一辺に沿うように２つのプーリ９１に掛けられ、スプロール９５に巻き取られている。
【００３７】
なお、室内機ユニット３Ｂ，３Ｃについては、発明の特徴部分である塵埃除去部６３およびダストボックス６５の構成が、室内機ユニット３Ａの塵埃除去部６３およびダストボックス６５の構成と同様であるので、その説明を省略する。室内機ユニット３Ｂ，３Ｃにおけるその他の構成要素については、公知の構成と同様であって、特に限定するものではない。
【００３８】
次に、上記の構成からなる空気調和機１における作用について説明する。
まず、空気調和機１における冷房運転時の作用について説明する。
冷媒は、図１に示すように、室外機ユニット５において、圧縮機により圧縮され高温高圧の状態で室外熱交換器に送り出される。室外熱交換器に流入した冷媒は、室外空気に対して熱を放出し、凝縮・液化する。液化した冷媒は、室内機ユニット３Ａ，３Ｂ，３Ｃにおいて、膨張弁を通過する際に減圧され室内熱交換器４９に流入する。室内熱交換器４９に流入した冷媒は、室内空気から熱を奪い、蒸発・気化する。気化した冷媒は再び圧縮機９に流入し、上述のサイクルを繰り返す。
【００３９】
次に空気調和機１における暖房運転時の作用について説明する。
冷媒は、室外機ユニット５の圧縮機により圧縮され、室内機ユニット３Ａ，３Ｂ，３Ｃの室内熱交換器４９に送り出される。室内熱交換器４９に流入した冷媒は、室内空気に対して熱を放出し、凝縮・液化する。液化した冷媒は、膨張弁を通過する際に減圧され室外機ユニット５の室外熱交換器に流入する。室外熱交換器に流入した冷媒は、室外熱交換器から熱を奪い、蒸発・気化する。気化した冷媒は再び圧縮機に流入し、上述のサイクルを繰り返す。
【００４０】
次に、室内機ユニット３Ａ内における室内空気の流れについて説明する。
室内空気は、図４に示すように、ファンモータ４７により室内ファン４５が回転することにより、吸込みグリル５１から筐体３７内に流入する。筐体３７に流入した室内空気は、エアフィルタ４１を通過し、室内空気に含まれる塵埃がエアフィルタ４１に捕集される。エアフィルタ４１を通過した室内空気は、ベルマウス４３を通過して室内ファン４５に吸込まれる。室内ファン４５に吸込まれた室内空気は、室内ファン４５の半径方向外側へ送り出され、室内熱交換器４９を通過する。
冷房運転時には、室内空気は室内熱交換器４９を通過する際に冷媒に熱を奪われ冷却される。一方、暖房運転時には、室内空気は室内熱交換器４９を通過する際に冷媒から熱を受取り加熱される。
室内熱交換器４９を通過した室内空気は、吹出口５３から室内へ流出する。
【００４１】
次に、エアフィルタの清掃における作用について説明する。
上述のように、室内機ユニット３Ａの運転によりエアフィルタ４１に付着した塵埃は、図４に示すように、塵埃除去部６３を往復動させることにより取り除かれる。塵埃除去部６３はダストボックス６５とともに往復動されるため、エアフィルタ４１に付着した塵埃を掻き落とし、掻き落とされた塵埃はダストボックス６５に捕集される。
なお、上述のようなゴミの除去運転は、エアフィルタ４１の目詰まり状態、室内機ユニット３Ａの運転積算時間、室内機ユニット３Ａの運転終了等を検出して適宜実施することができる。
【００４２】
次に、本実施形態の特徴であるダストボックス６５から塵埃集積部７への塵埃の搬送について説明する。
ダストボックス６５内の塵埃は、所定のタイミングで塵埃集積部７に搬送される。塵埃を搬送するタイミングとしては、室内機ユニット３Ａの運転積算時間や、ダストボックス６５に塵埃量を検出するセンサを設けた場合における当該センサの出力などを例示することができる。
まず、図１０に示すように、ダストボックス６５は蓋部８５の下方まで移動される。ダストボックス６５は、図６に示すように、蓋部８５により開口部７９が塞がれてボックス本体７３内が略閉じられた空間となる。その後、搬送ファン２５Ａが駆動されて塵埃は空気とともに搬送ダクト２３内に吸込まれる（図１参照）。ボックス本体７３には、給気部７７からボックス本体７３外部の空気が流入する。空気は給気部７７から底面８１近傍に流入し、底面８１に沿って吸込み部７５に向かって流れる。底面８１に沿った空気の流れは、底面８１に堆積した塵埃を吸込み部７５に搬送する。空気および塵埃は、底面８１の近傍にまで延びた吸込み部７５の開口端から吸込み部７５に流入する。
搬送ダクト２３に流入した塵埃および空気は、図１に示すように、搬送ファン２５Ａを通過して塵埃集積部７に流入する。塵埃集積部７に流入した空気および塵埃は、図２に示すように、収納容器１３に流入する。収納容器１３に流入した空気および塵埃のうち、空気は、排気フィルタ２１および排気ダクト２４を通過して塵埃集積部７の外部に流出する。一方、塵埃は、排気フィルタ２１により捕集され、収納容器１３内に集積される。
【００４３】
一方、室内機ユニット３Ｂのように、搬送ファン２５Ｂに導入ダクト２７および搬送ダクト２３が接続されている場合について説明する。
まず、塵埃を塵埃集積部７に搬送する場合には、図３に示すように、導入ダクト２７Ａ，２７Ｂに設けられたダンパ３５を閉じるとともに、搬送ダクト２３Ａ，２３Ｂに設けられたダンパ３５を開く。その後、搬送ファン２５Ｂを駆動することにより、室内機ユニット３Ｂのダストボックス６５に貯留された塵埃は、搬送ダクト２３Ｂから順に、流入室３１、搬送ファン２５Ｂ，流出室３３、搬送ダクト２３Ａを通って塵埃集積部７へ搬送される。
一方、室内機ユニット３Ｂに室外気を導入する場合には、搬送ダクト２３Ａ，２３Ｂに設けられたダンパ３５を閉じるとともに、導入ダクト２７Ａ，２７Ｂに設けられたダンパ３５を開く。その後、搬送ファン２５Ｂを駆動することにより、室外気は導入ダクト２７Ａから順に、流入室３１、搬送ファン２５Ｂ、流出室３３、導入ダクト２７Ｂを通って室内機ユニット３Ｂに流入する。
【００４４】
上述のように、室内機ユニット３Ａ，３Ｂ，３Ｃのダストボックス６５から塵埃集積部７に集積された塵埃は、所定のタイミングで回収される。
具体的には、開閉扉９を開き（図１参照）、塵埃集積部７から収納容器１３を取り出すことにより、塵埃集積部７に集積された塵埃を回収する。
【００４５】
また、エアフィルタ４１、塵埃除去部６３およびダストボックス６５は、定期的に点検や清掃が行われてもよい。このとき、エアフィルタ４１、塵埃除去部６３およびダストボックス６５は、吸込みグリル５１とともに室内機ユニット３Ａ（天面パネル３９）から吊り下ろされる。
具体的には、図５に示すように、リモコン等の操作により昇降モータ８９が回転制御され、スプロール９５に巻き取られていたワイヤ９３を繰り出す。ワイヤ９３が繰り出されると、プーリ９１が回転し、吸込みグリル５１は姿勢を略水平に保ったまま筐体３７から吊下ろされる。なお、この時、吸込みグリル５１に配置されたエアフィルタ４１、塵埃除去部６３およびダストボックス６５なども吸込みグリル５１とともに吊下ろされる。
ダストボックス６５と搬送ダクト２３とは、図８に示すように、吸込み部７５と搬送ダクト２３との間で切り離される。一方、吸込みグリル５１が天面パネル３９まで引き上げられると、吸込み部７５は搬送ダクト２３と嵌め合わされる。このとき、吸込み部７５の接続端部８３は、ラッパ状に形成されているため、搬送ダクト２３と容易に嵌めあわせをすることができる。
【００４６】
なお、室内機ユニット３Ｂ，３Ｃについては、発明の特徴部分である塵埃除去部６３およびダストボックス６５の構成が、室内機ユニット３Ａの塵埃除去部６３およびダストボックス６５の構成と同様であるので、その作用の説明を省略する。室内機ユニット３Ｂ，３Ｃにおけるその他の構成要素の作用については、公知の構成における作用と同様である。
【００４７】
上記の構成によれば、塵埃集積部７が設けられているため、複数の室内機ユニット３Ａ，３Ｂ，３Ｃにおいて、エアフィルタ４１から取り除かれた塵埃の回収を容易にすることができる。
塵埃集積部７には、複数のダストボックス６５に貯留された塵埃が集められているため、塵埃集積部７に集められた塵埃を回収することで、複数のダストボックス６５に貯留された塵埃を一括して回収することができる。つまり、塵埃集積部７から塵埃を回収することで、複数の室内機ユニット３Ａ，３Ｂ，３Ｃにおいてエアフィルタ４１から取り除かれた塵埃を回収することができる。
【００４８】
塵埃集積部７には収納容器１３が設けられているため、塵埃集積部７から塵埃を容易に回収することができる。
収納容器１３は、塵埃集積部７に集められた塵埃を内部に収めることができる。また、収納容器１３は、塵埃集積部７から取り出し可能に構成されている。そのため、塵埃集積部７から収納容器１３を取り出すことにより、塵埃集積部７に集められた塵埃を容易に回収することができる。
【００４９】
搬送ダクト２３，２３Ａ，２３Ｂと搬送ファン２５Ａ，２５Ｂとが設けられているため、ダストボックス６５に貯留された塵埃を塵埃集積部７に確実に集めることができる。
搬送ダクト２３，２３Ａ，２３Ｂは、各ダストボックス６５と塵埃集積部７との間を繋いで配置されている。そのため、各ダストボックス６５に貯留された塵埃を、搬送ダクト２３，２３Ａ，２３Ｂを通して塵埃集積部７に集めることができる。また、搬送ダクト２３，２３Ａ，２３Ｂには、塵埃を塵埃集積部７へ搬送する搬送ファン２５Ａ，２５Ｂが設けられている。そのため、ダストボックス６５に貯留された塵埃は、搬送ファン２５Ａ，２５Ｂにより吸い出され、塵埃集積部７に送り込まれる。
【００５０】
導入ダクト２７Ａ，２７Ｂが設けられているため、室内機ユニット３Ｂを介して室外気を室内に導入することができる。
導入ダクト２７Ａ，２７Ｂによる室外気の導入に搬送ファン２５Ｂを用いているため、室外気の導入に専用のファンを用いる方法と比較して、使用するファンの数を減らすことができ、設置スペースの削減を図るとともに、製造コストの低減を図ることができる。
【００５１】
ダストボックス６５の底面８１は、吸込み部７５に向かって下方に傾斜する傾斜面であるため、ダストボックス６５内の塵埃を効率よく塵埃集積部７に集めることができる。
ダストボックス６５の底面８１は、吸込み部７５に向かって下方に傾斜する傾斜面であるため、ダストボックス６５内の塵埃は、重力によって吸込み部７５の周辺に集められる。そのため、ダストボックス６５内の塵埃は、効率よく吸込み部７５から搬送ダクト２３，２３Ａに吸込まれ、塵埃集積部７に集められる。
【００５２】
ダストボックス６５の一方の端部に吸込み部７５が設けられ、他方の端部に給気部７７が設けられているため、ダストボックス６５内の塵埃を効率よく塵埃集積部７に集めることができる。
ダストボックス６５の一方の端部に吸込み部７５が設けられ、他方の端部に給気部７７が設けられているため、給気部７７からダストボックス６５内に流入した空気は吸込み部７５に向かって流れる。塵埃はこの空気の流れによって吸込み部７５の周辺に集められる。そのため、ダストボックス６５内の塵埃を効率よく吸込み部７５に吸い込ませて、塵埃集積部７に集めることができる。
【００５３】
吸込み部７５は、搬送ダクト２３の外周を覆うとともに、塵埃の吸出し方向に向かってその断面積が広くなる筒状に形成されているため、ダストボックス６５と搬送ダクト２３，２３Ａとの接続を容易にすることができる。
吸込み部７５に搬送ダクト２３，２３Ａを差し込む場合、吸込み部７５は先端側の断面積が広くなる筒状、すなわち接続端部８３が形成されているため、搬送ダクト２３，２３Ａを吸込み部７５に容易に差し込むことができる。
【符号の説明】
【００５４】
１  空気調和機
３Ａ，３Ｂ，３Ｃ  室内機ユニット
５  室外機ユニット
７  塵埃集積部
１３  収納容器
２３，２３Ａ，２３Ｂ  搬送ダクト
２５Ａ  搬送ファン
２５Ｂ  搬送ファン（導入ファン）
２７Ａ，２７Ｂ  導入ダクト
４１  エアフィルタ（フィルタ）
５３Ａ  送風ダクト
６３  塵埃除去部
６５  ダストボックス（塵埃貯留部）
７５  吸込み部
７７  給気部
８１  底面
【図１】
2011226779.tif 000003
【図２】
2011226779.tif 000004
【図３】
2011226779.tif 000005
【図４】
2011226779.tif 000006
【図５】
2011226779.tif 000007
【図６】
2011226779.tif 000008
【図７】
2011226779.tif 000009
【図８】
2011226779.tif 000010
【図９】
2011226779.tif 000011
【図１０】
2011226779.tif 000012
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
空気調和機の室内機ユニット内に流入する室内空気に含まれる塵埃を捕集するフィルタから取り除かれた塵埃を貯留する塵埃貯留部であって、
内部から前記塵埃を吸い込む吸込み部と、
内部に空気を流入させる給気部と、
を備え、
前記給気部から流入した空気が前記吸込み部に向かって流れることを特徴とする塵埃貯留部。
【請求項２】
一方の端部に前記吸込み部が設けられ、他方の端部に前記給気部が設けられていることを特徴とする請求項１に記載の塵埃貯留部。
【請求項３】
前記給気部から前記吸込み部に向かって下方に傾斜する傾斜面とされた底面を有することを特徴とする請求項１又は２に記載の塵埃貯留部。
【請求項４】
請求項１から３のいずれかに記載の塵埃貯留部と、
前記塵埃貯留部に貯留された塵埃が集められる塵埃集積部と、
を備えた空気調和機であって、
前記塵埃集積部には、導かれた塵埃を捕集する排気フィルタを備え、
該排気フィルタを通過した空気が前記塵埃集積部の外部へと排気されることを特徴とする空気調和機。
【手続補正２】
【補正対象書類名】明細書
【補正対象項目名】全文
【補正方法】変更
【補正の内容】
【発明の詳細な説明】
【技術分野】
【０００１】
本発明は、塵埃貯留部および空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１から３参照。）。
【先行技術文献】
【特許文献】
【０００５】
【特許文献１】特開２００４−２６３９８４号公報
【特許文献２】特開２００５−８３７２１号公報
【特許文献３】特開２００５−３０８２７４号公報
【発明の概要】
【発明が解決しようとする課題】
【０００６】
上述の特許文献１から３には、個々の室内機ユニットにおけるエアフィルタの清掃に係る技術が開示されている。これら開示された技術において、エアフィルタから取り除かれた塵埃などは、個々の室内機ユニット内に蓄積されたり（特許文献２，３）、個々の室内機ユニットから室外に排出されたり（特許文献１）している。つまり、取り除かれた塵埃などの処分は室内機ユニットごとに行われている。
【０００７】
しかしながら、複数の室内機ユニットが備えられた施設や、複数の室内機ユニットを備えるマルチ型空気調和機などにおいて、個々の室内機ユニットに蓄積された塵埃の除去、回収を行うとすると、ユーザにとって塵埃などの回収の手間がかかるという問題があった。
また、個々の室内機ユニットについて塵埃などを室外に排出する場合でも、室外から離れた位置に設けられた室内機ユニットに、塵埃を排出するダクト等を配置することは配置スペースの確保や設置コストの上昇等の観点から困難であった。
【０００８】
本発明は、上記の課題を解決するためになされたものであって、複数の室内機ユニットにおいて、フィルタから取り除かれた塵埃などの回収を容易にすることができる空気調和機を提供することを目的とする。
【課題を解決するための手段】
【０００９】
上記目的を達成するために、本発明は、以下の手段を提供する。
本発明の塵埃貯留部は、空気調和機の室内機ユニット内に流入する室内空気に含まれる塵埃を捕集するフィルタから取り除かれた塵埃を貯留する塵埃貯留部であって、内部から前記塵埃を吸い込む吸込み部と、内部に空気を流入させる給気部とを備え、前記給気部から流入した空気が前記吸込み部に向かって流れることを特徴とする。
【００１０】
さらに、本発明の塵埃貯留部は、一方の端部に前記吸込み部が設けられ、他方の端部に前記給気部が設けられていることを特徴とする。
【００１１】
さらに、本発明の塵埃貯留部は、前記給気部から前記吸込み部に向かって下方に傾斜する傾斜面とされた底面を有することを特徴とする。
【００１２】
また、本発明の空気調和機は、上記のいずれかに記載の塵埃貯留部と、前記塵埃貯留部に貯留された塵埃が集められる塵埃集積部と、を備えた空気調和機であって、前記塵埃集積部には、導かれた塵埃を捕集する排気フィルタを備え、該排気フィルタを通過した空気が前記塵埃集積部の外部へと排気されることを特徴とする。
【００１３】
また、本発明の参考例としての空気調和機は、少なくとも二つの室内機ユニットと室外機ユニットとが設けられた空気調和機であって、前記室内機ユニットには、前記室内機ユニット内に流入する室内空気に含まれる塵埃を捕集するフィルタと、該フィルタに捕集された塵埃を取り除く塵埃除去部と、該塵埃除去部に取り除かれた塵埃を一時的に貯留する塵埃貯留部と、が備えられ、少なくとも二つの前記塵埃貯留部に貯留された塵埃が集められる塵埃集積部が設けられていることを特徴とする。
【００１４】
本参考例によれば、塵埃集積部が設けられているため、複数の室内機ユニットにおいて、フィルタから取り除かれた塵埃の回収を容易にすることができる。
塵埃集積部には、少なくとも二つの塵埃貯留部に貯留された塵埃が集められているため、塵埃集積部に集められた塵埃を回収することで、少なくとも二つの塵埃貯留部に貯留された塵埃を一括して回収することができる。つまり、塵埃集積部から塵埃を回収することで、少なくとも二つの室内機ユニットにおいてフィルタから取り除かれた塵埃を回収することができる。
【００１５】
上記参考例においては、前記塵埃集積部には、前記塵埃を内部に納めるとともに、前記塵埃集積部から取り出し可能な収納容器が設けられていることが望ましい。
【００１６】
本参考例によれば、塵埃集積部には収納容器が設けられているため、塵埃集積部から塵埃を容易に回収することができる。
収納容器は、塵埃集積部に集められた塵埃を内部に収めることができる。また、収納容器は、塵埃集積部から取り出し可能に構成されている。そのため、塵埃集積部から収納容器を取り出すことにより、塵埃集積部に集められた塵埃を容易に回収することができる。
【００１７】
上記参考例においては、前記塵埃貯留部と前記塵埃集積部との間には、前記塵埃を搬送する搬送ダクトが設けられ、該搬送ダクトには、前記塵埃を前記塵埃集積部へ搬送する搬送ファンが設けられていることが望ましい。
【００１８】
本参考例によれば、搬送ダクトと搬送ファンとが設けられているため、塵埃貯留部に貯留された塵埃を塵埃集積部に確実に集めることができる。
搬送ダクトは、各塵埃貯留部と塵埃集積部との間を繋いで配置されている。そのため、各塵埃貯留部に貯留された塵埃を、搬送ダクトを通して塵埃集積部に集めることができる。また、搬送ダクトには、塵埃を塵埃集積部へ搬送する搬送ファンが設けられている。そのため、塵埃貯留部に貯留された塵埃は、搬送ファンにより吸い出され、塵埃集積部に送り込まれる。
【００１９】
上記参考例においては、前記室内機ユニットには、室外気を導入する導入ダクトが設けられ、該導入ダクトによる前記室外気の導入に、前記搬送ファンが用いられることが望ましい。
【００２０】
本参考例によれば、導入ダクトが設けられているため、室内機ユニットを介して室外気を室内に導入することができる。
導入ダクトによる室外気の導入に搬送ファンを用いているため、室外気の導入に専用のファンを用いる方法と比較して、使用するファンの数を減らすことができ、設置スペースの削減を図るとともに、製造コストの低減を図ることができる。
【００２１】
上記参考例においては、前記塵埃貯留部には、前記塵埃が前記搬送ダクトに吸込まれる吸込み部が設けられ、前記塵埃貯留部の底面は、前記吸込み部に向かって下方に傾斜する傾斜面であることが望ましい。
【００２２】
本参考例によれば、塵埃貯留部の底面は、吸込み部に向かって下方に傾斜する傾斜面であるため、塵埃貯留部内の塵埃を効率よく塵埃集積部に集めることができる。
塵埃貯留部の底面は、吸込み部に向かって下方に傾斜する傾斜面であるため、塵埃貯留部内の塵埃は、重力によって吸込み部の周辺に集められる。そのため、塵埃貯留部内の塵埃は、効率よく吸込み部から搬送ダクトに吸込まれ、塵埃集積部に集められる。
【００２３】
上記参考例においては、前記塵埃貯留部には、前記塵埃貯留部内に空気が流入する給気部が設けられ、前記塵埃貯留部の一方の端部に前記吸込み部が設けられ、他方の端部に前記給気部が設けられていることが望ましい。
【００２４】
本参考例によれば、塵埃貯留部の一方の端部に吸込み部が設けられ、他方の端部に給気部が設けられているため、塵埃貯留部内の塵埃を効率よく塵埃集積部に集めることができる。
塵埃貯留部の一方の端部に吸込み部が設けられ、他方の端部に給気部が設けられているため、給気部から塵埃貯留部内に流入した空気は吸込み部に向かって流れる。塵埃はこの空気の流れによって吸込み部の周辺に集められる。そのため、塵埃貯留部内の塵埃を効率よく吸込み部に吸い込ませて、塵埃集積部に集めることができる。
【００２５】
上記参考例においては、前記吸込み部は、前記搬送ダクトの外周を覆うとともに、前記塵埃の吸出し方向に向かって断面積が広くなる筒状に形成されていることが望ましい。
【００２６】
本参考例によれば、吸込み部は、搬送ダクトの外周を覆うとともに、塵埃の吸出し方向に向かってその断面積が広くなる筒状に形成されているため、塵埃貯留部と搬送ダクトとの接続を容易にすることができる。
吸込み部に搬送ダクトを差し込む場合、吸込み部は先端側の断面積が広くなる筒状に形成されているため、搬送ダクトを吸込み部に容易に差し込むことができる。
【発明の効果】
【００２７】
本発明の空気調和機によれば、塵埃集積部が設けられているため、複数の室内機ユニットにおいて、フィルタから取り除かれた塵埃の回収を容易にすることができるという効果を奏する。
【図面の簡単な説明】
【００２８】
【図１】本発明の一実施形態における空気調和機の構成を説明する概略図である。
【図２】図１の塵埃集積部の構成を説明する模式図である。
【図３】図１の搬送ファン、搬送ダクトおよび導入ダクトの構成を説明する模式図である。
【図４】図１の天井埋め込み型室内機ユニットの構成を説明する模式図である。
【図５】図４の吸込みグリルの構成を説明する模式図である。
【図６】図４のダストボックスの構成を説明する断面図である。
【図７】図６のダストボックスの構成を説明する部分拡大図である。
【図８】図６のダストボックスの構成を説明する部分斜視図である。
【図９】図６の蓋部の構成を説明する平面図である。
【図１０】図９の蓋部の構成を説明する断面図である。
【発明を実施するための形態】
【００２９】
この発明の一実施形態に係る空気調和機について、図１から図１０を参照して説明する。
図１は、本実施形態における空気調和機の構成を説明する概略図である。
空気調和機１は、図１に示すように、天井埋め込み型の室内機ユニット３Ａ，３Ｂと、壁掛け型の室内機ユニット３Ｃと、室外機ユニット５と、塵埃集積部７とを備えている。
【００３０】
室内機ユニット３Ａ，３Ｂ，３Ｃは、室内空気と冷媒との間で熱交換を行うことにより、室内空気を所定の温度に調温し、調温された室内空気を室内に吹き出すものである。
室内機ユニット３Ａ，３Ｂは、天井に埋め込まれるタイプの室内機ユニットである。室内機ユニット３Ａは、後述する天面パネル３９に室内空気をユニット内に吸入する吸込みグリル５１と、ユニットから室内空気を吹き出す吹出口５３とが設けられている室内機ユニットである。室内機ユニット３Ｂは、後述する天面パネル３９に少なくとも室内空気をユニット内に吸入する吸込みグリル５１が設けられ、ユニットから室内空気を吹き出す吹き出しダクト５３Ａが天面パネル３９とは別個に設けられた室内機ユニットである。
また、室内機ユニット３Ｃは、壁面に設置されるタイプの室内機ユニットである。これら室内機ユニット３Ａ，３Ｂ，３Ｃと室外機ユニット５との間には、冷媒が循環する冷媒配管（図示せず）が配置されている。
【００３１】
室外機ユニット５は、室内機ユニット３Ａ，３Ｂ，３Ｃとの間で冷凍サイクルを構成するものである。室外機ユニット５には、冷媒を圧縮する圧縮機（図示せず）と、室外気と冷媒との間で熱交換を行う室外熱交換器（図示せず）と、室外熱交換器に室外気を送風する室外ファン（図示せず）などが備えられている。
【００３２】
図２は、図１の塵埃集積部の構成を説明する模式図である。
塵埃集積部７は、各室内機ユニット３Ａ，３Ｂ，３Ｃから塵埃が集められるものである。塵埃集積部７は開閉扉９が設けられた天井内に配置され、後述する各室内機ユニット３Ａ，３Ｂ，３Ｃから延びる搬送ダクト２３が接続されている。
塵埃集積部７は、図２に示すように、本体１１と、収納容器１３とを備えている。本体１１は、収納容器１３を内部に配置および取出し可能に収める筐体である。本体１１には、搬送ダクト２３と排気ダクト２４とが接続されている。収納容器１３は、塵埃が内部に納められる容器である。収納容器１３には、流入部１５と、排気部１７と、把持部１９とが設けられている。流入部１５は、搬送ダクト２３と対向する位置に設けられた開口部であって、収納容器１３内に塵埃が流入する孔である。排気部１７は、排気ダクト２４と対向する位置に設けられた開口部であって、収納容器１３内に流入した塵埃と空気の内、空気のみが排出される孔である。排気部１７には、塵埃の排出を防止する排気フィルタ２１が設けられている。排気ダクト２４は、収納容器１３から排出された空気を外部に導く管路である。把持部１９は、収納容器１３を取り出す場合などに掴まれる部分である。
【００３３】
塵埃集積部７と各室内機ユニット３Ａ，３Ｂ，３Ｃとの間には、図１に示すように、搬送ダクト２３と搬送ファン２５Ａ，２５Ｂとが設けられている。搬送ダクト２３は、各室内機ユニット３Ａ，３Ｂ，３Ｃから塵埃を塵埃集積部７に送る管路である。搬送ファン２５Ａ，２５Ｂは、室内機ユニット３Ａ，３Ｂ，３Ｃから塵埃を吸い取り、塵埃集積部７に送るファンである。
搬送ファン２５Ａは、室内機ユニット３Ａ，３Ｃと接続する搬送ダクト２３に設けられたファンである。搬送ファン（導入ファン）２５Ｂは、室内機ユニット３Ｂと接続する搬送ダクト２３に設けられたファンであって、搬送ファン２５Ｂには、室外気を導入する導入ダクト２７Ａ，２７Ｂが接続されている。
なお、本実施形態においては、搬送ファン２５Ａ，２５Ｂを遠心式の送風ファンに適用して説明しているが、遠心式送風ファンに限られることなく、その他の公知の送風ファンを用いてもよく、特に限定するものではない。
【００３４】
図３は、図１の搬送ファン、搬送ダクトおよび導入ダクトの構成を説明する模式図である。
ここで、搬送ファン２５Ｂと、搬送ダクト２３Ａ，２３Ｂおよび導入ダクト２７Ａ，２７Ｂとの接続部の構成を、図３を参照しながら説明する。
搬送ファン２５Ｂはケーシング２９内に収められ、ケーシング２９内は流入室３１と流出室３３とに分けられている。室外と搬送ファン２５Ｂとを繋ぐ導入ダクト２７Ａは、流入室３１と連通するようにケーシング２９に接続されている。搬送ファン２５Ｂと室内機ユニット３Ａとを繋ぐ導入ダクト２７Ｂは、流出室３３と連通するようにケーシング２９に接続されている。塵埃集積部７と搬送ファン２５Ｂとを繋ぐ搬送ダクト２３Ａは、流出室３３と連通するようにケーシング２９に接続されている。搬送ファン２５Ｂと室内機ユニット３Ａとを繋ぐ搬送ダクト２３Ｂは、流入室３１と連通するようにケーシング２９に接続されている。
さらに、導入ダクト２７Ａ，２７Ｂおよび搬送ダクト２３Ａ，２３Ｂには、空気の流通を制御するダンパ３５が設けられている。例えば、ダンパ３５は、導入ダクト２７Ａ，２７Ｂおよび搬送ダクト２３Ａ，２３Ｂのケーシング２９近傍に配置されている。
【００３５】
図４は、図１の天井埋め込み型室内機ユニットの構成を説明する模式図である。
次に、室内機ユニット３Ａの構成について説明する。
室内機ユニット３Ａは、図１に示すように、筐体３７と、天面パネル３９と、エアフィルタ（フィルタ）４１と、ベルマウス４３と、室内ファン４５と、ファンモータ４７と、室内熱交換器４９とを備えている。
筐体３７は、室内ファン４５や室内熱交換器４９などを内部に納めるものであって、天井に埋め込まれて配置されるものである。
天面パネル３９は、天井に埋め込まれた室内機ユニット３Ａにおける室内に露出部を構成するものである。天面パネル３９の略中央には、室内空気が室内機ユニット３内に流入する吸込みグリル５１が設けられている。天面パネル３９における吸込みグリル５１の周囲には、室内熱交換器４９を通過した室内空気が吹き出される吹出口５３が設けられている。
エアフィルタ４１は、室内機ユニット３Ａ内に流入する室内空気に含まれる塵埃を取り除くフィルタである。エアフィルタ４１は、吸込みグリル５１とベルマウス４３との間に配置され、吸込みグリル５１に固定されている。
ベルマウス４３は、室内ファン４５に流入する室内空気の流れを整えるものである。ベルマウス４３は、エアフィルタ４１と室内ファン４５との間に配置され、筐体３７に固定されている。
室内ファン４５は、ファンモータ４７とともに、室内空気を室内機ユニット３Ａ内に流入させ、室内熱交換器４９を通過させた後、室内機ユニット３Ａから吹き出させるものである。室内ファン４５はファンモータ４７と接続され、ファンモータ４７により回転駆動されるものである。ファンモータ４７は、電力が供給されることにより、室内ファン４５を回転駆動させるものである。ファンモータ４７は、筐体３７における天板５５の略中央に配置されている。
室内熱交換器４９は、室内空気と冷媒との間で熱交換を行うものであって、室内熱交換器４９は、上述の室外機ユニット５の室外熱交換器や圧縮機などとともに冷凍サイクルを構成するものである。室内熱交換器４９は、筐体３７内において室内ファン４５の周囲を囲むように配置されている。室内熱交換器４９と筐体３７における側壁５７との間には、熱交換された室内空気が流れる流出流路５９が形成されている。流出流路５９は、上述の吹出口５３と連通されている。
【００３６】
図５は、図４の吸込みグリルの構成を説明する模式図である。
吸込みグリル５１には、支持部６１と、塵埃除去部６３と、ダストボックス（塵埃貯留部）６５と、昇降部６７とが設けられている。
支持部６１は、吸込みグリル５１の縁部に設けられ、エアフィルタ４１を支持する一対の部材である。支持部６１に支持されることにより、エアフィルタ４１と吸込みグリル５１との間に、塵埃除去部６３およびダストボックス６５が配置される空間が形成されている。
【００３７】
塵埃除去部６３およびダストボックス６５は、エアフィルタ４１に捕集された塵埃を取り除き一時的に貯留するものである。
塵埃除去部６３は、エアフィルタ４１に付着した塵埃を取り除くものであって、エアフィルタ４１における室内空気流入側の面と接触するように配置されている。塵埃除去部６３には、ブラシ部６９と、本体部７１とが備えられている。ブラシ部６９は、エアフィルタ４１における室内空気流入側の面と接触することで、エアフィルタ４１に捕集された塵埃を取り除くものである。本体１１は、ブラシ部６９を保持するものである。
【００３８】
図６は、図４のダストボックスの構成を説明する断面図である。図７は、図６のダストボックスの構成を説明する部分拡大図である。図８は、図６のダストボックスの構成を説明する部分斜視図である。
ダストボックス６５は、エアフィルタ４１から取り除かれた塵埃を一時的に貯留するものであって、塵埃除去部６３を下方から覆うように配置されている。
ダストボックス６５は、図６に示すように、ボックス本体７３と、吸込み部７５と、給気部７７と、を備えている。ボックス本体７３は、内部に塵埃除去部６３が納められるとともに、エアフィルタ４１から取り除かれた塵埃が一時的に貯留されるものである。ボックス本体７３には、塵埃除去部６３のブラシ部６９がエアフィルタ４１と接触するための開口部７９が形成されている。開口部７９は、後述する蓋部８５により塞がれるものでもある。ボックス本体７３の底面８１は、後述する給気部７７から吸込み部７５に向けて、低くなる傾斜面とされている。また、底面８１は、図７に示すように、断面において中央部が最も低くなる凹状に形成されている。
吸込み部７５は、ダストボックス６５内に貯留された塵埃が搬送ダクト２３に吸込まれる部分であって、図６に示すように、ボックス本体７３の一方の端部に設けられている。吸込み部７５は、ボックス本体７３の底面８１近傍から、ボックス本体７３の外部にまで延びる筒状の部材である。吸込み部７５の上方端部は、搬送ダクト２３と接続する接続端部８３であって、上方に向かって半径が広くなるラッパ状の形状に形成されている（図７および８参照）。
給気部７７は、ボックス本体７３の開口部７９が蓋部８５により塞がれた場合に、ボックス本体７３内に空気を供給するものであって、図６に示すように、ボックス本体７３の他方の端部に設けられている。吸込み部７５は、ボックス本体７３の底面８１近傍から、ボックス本体の外部にまで延びる筒状の部材である。
【００３９】
図９は、図６の蓋部の構成を説明する平面図である。図１０は、図９の蓋部の構成を説明する断面図である。
蓋部８５は、塵埃をダストボックス６５から搬送ダクト２３に吸込む場合に、ボックス本体７３の開口部７９を塞ぐものである。
蓋部８５は、図９に示すように、塵埃除去部６３およびダストボックス６５が移動方向上であって、エアフィルタ４１に隣接する位置に配置されている。蓋部８５におけるダストボックス６５と対向する対向面８７（図１０の下面）は、エアフィルタ４１から離れる方向に向かって、ダストボックス６５側（図１０の下側）に傾く傾斜面として形成されている。
塵埃除去部６３およびダストボックス６５は、エアフィルタ４１の全面と、蓋部８５とを合わせた領域を移動可能とされている。
【００４０】
昇降部６７は、吸込みグリル５１を室内機ユニット３Ｂから昇降させるものである（図４参照）。昇降部６７は、図５に示すように、昇降モータ８９と、プーリ９１と、ワイヤ９３と、を備えている。
昇降モータ８９は、筐体３７に配置され、吸込みグリル５１を室内機ユニット３Ｂから昇降させるものである。昇降モータ８９には、ワイヤ９３を巻き取り・巻き戻しするスプロール９５が配置されている。
プーリ９１は、自ら回転することによりワイヤ９３を移動可能に支持するものである。プーリ９１は、吸込みグリル５１の四隅に配置されている。
ワイヤ９３は、プーリ９１を介して両端が昇降モータ８９と筐体３７に固定されている。具体的には、ワイヤ９３は、筐体３７に固定された端部から、吸込みグリル５１の一辺に沿うように２つのプーリ９１に掛けられ、スプロール９５に巻き取られている。
【００４１】
なお、室内機ユニット３Ｂ，３Ｃについては、発明の特徴部分である塵埃除去部６３およびダストボックス６５の構成が、室内機ユニット３Ａの塵埃除去部６３およびダストボックス６５の構成と同様であるので、その説明を省略する。室内機ユニット３Ｂ，３Ｃにおけるその他の構成要素については、公知の構成と同様であって、特に限定するものではない。
【００４２】
次に、上記の構成からなる空気調和機１における作用について説明する。
まず、空気調和機１における冷房運転時の作用について説明する。
冷媒は、図１に示すように、室外機ユニット５において、圧縮機により圧縮され高温高圧の状態で室外熱交換器に送り出される。室外熱交換器に流入した冷媒は、室外空気に対して熱を放出し、凝縮・液化する。液化した冷媒は、室内機ユニット３Ａ，３Ｂ，３Ｃにおいて、膨張弁を通過する際に減圧され室内熱交換器４９に流入する。室内熱交換器４９に流入した冷媒は、室内空気から熱を奪い、蒸発・気化する。気化した冷媒は再び圧縮機９に流入し、上述のサイクルを繰り返す。
【００４３】
次に空気調和機１における暖房運転時の作用について説明する。
冷媒は、室外機ユニット５の圧縮機により圧縮され、室内機ユニット３Ａ，３Ｂ，３Ｃの室内熱交換器４９に送り出される。室内熱交換器４９に流入した冷媒は、室内空気に対して熱を放出し、凝縮・液化する。液化した冷媒は、膨張弁を通過する際に減圧され室外機ユニット５の室外熱交換器に流入する。室外熱交換器に流入した冷媒は、室外熱交換器から熱を奪い、蒸発・気化する。気化した冷媒は再び圧縮機に流入し、上述のサイクルを繰り返す。
【００４４】
次に、室内機ユニット３Ａ内における室内空気の流れについて説明する。
室内空気は、図４に示すように、ファンモータ４７により室内ファン４５が回転することにより、吸込みグリル５１から筐体３７内に流入する。筐体３７に流入した室内空気は、エアフィルタ４１を通過し、室内空気に含まれる塵埃がエアフィルタ４１に捕集される。エアフィルタ４１を通過した室内空気は、ベルマウス４３を通過して室内ファン４５に吸込まれる。室内ファン４５に吸込まれた室内空気は、室内ファン４５の半径方向外側へ送り出され、室内熱交換器４９を通過する。
冷房運転時には、室内空気は室内熱交換器４９を通過する際に冷媒に熱を奪われ冷却される。一方、暖房運転時には、室内空気は室内熱交換器４９を通過する際に冷媒から熱を受取り加熱される。
室内熱交換器４９を通過した室内空気は、吹出口５３から室内へ流出する。
【００４５】
次に、エアフィルタの清掃における作用について説明する。
上述のように、室内機ユニット３Ａの運転によりエアフィルタ４１に付着した塵埃は、図４に示すように、塵埃除去部６３を往復動させることにより取り除かれる。塵埃除去部６３はダストボックス６５とともに往復動されるため、エアフィルタ４１に付着した塵埃を掻き落とし、掻き落とされた塵埃はダストボックス６５に捕集される。
なお、上述のようなゴミの除去運転は、エアフィルタ４１の目詰まり状態、室内機ユニット３Ａの運転積算時間、室内機ユニット３Ａの運転終了等を検出して適宜実施することができる。
【００４６】
次に、本実施形態の特徴であるダストボックス６５から塵埃集積部７への塵埃の搬送について説明する。
ダストボックス６５内の塵埃は、所定のタイミングで塵埃集積部７に搬送される。塵埃を搬送するタイミングとしては、室内機ユニット３Ａの運転積算時間や、ダストボックス６５に塵埃量を検出するセンサを設けた場合における当該センサの出力などを例示することができる。
まず、図１０に示すように、ダストボックス６５は蓋部８５の下方まで移動される。ダストボックス６５は、図６に示すように、蓋部８５により開口部７９が塞がれてボックス本体７３内が略閉じられた空間となる。その後、搬送ファン２５Ａが駆動されて塵埃は空気とともに搬送ダクト２３内に吸込まれる（図１参照）。ボックス本体７３には、給気部７７からボックス本体７３外部の空気が流入する。空気は給気部７７から底面８１近傍に流入し、底面８１に沿って吸込み部７５に向かって流れる。底面８１に沿った空気の流れは、底面８１に堆積した塵埃を吸込み部７５に搬送する。空気および塵埃は、底面８１の近傍にまで延びた吸込み部７５の開口端から吸込み部７５に流入する。
搬送ダクト２３に流入した塵埃および空気は、図１に示すように、搬送ファン２５Ａを通過して塵埃集積部７に流入する。塵埃集積部７に流入した空気および塵埃は、図２に示すように、収納容器１３に流入する。収納容器１３に流入した空気および塵埃のうち、空気は、排気フィルタ２１および排気ダクト２４を通過して塵埃集積部７の外部に流出する。一方、塵埃は、排気フィルタ２１により捕集され、収納容器１３内に集積される。
【００４７】
一方、室内機ユニット３Ｂのように、搬送ファン２５Ｂに導入ダクト２７および搬送ダクト２３が接続されている場合について説明する。
まず、塵埃を塵埃集積部７に搬送する場合には、図３に示すように、導入ダクト２７Ａ，２７Ｂに設けられたダンパ３５を閉じるとともに、搬送ダクト２３Ａ，２３Ｂに設けられたダンパ３５を開く。その後、搬送ファン２５Ｂを駆動することにより、室内機ユニット３Ｂのダストボックス６５に貯留された塵埃は、搬送ダクト２３Ｂから順に、流入室３１、搬送ファン２５Ｂ，流出室３３、搬送ダクト２３Ａを通って塵埃集積部７へ搬送される。
一方、室内機ユニット３Ｂに室外気を導入する場合には、搬送ダクト２３Ａ，２３Ｂに設けられたダンパ３５を閉じるとともに、導入ダクト２７Ａ，２７Ｂに設けられたダンパ３５を開く。その後、搬送ファン２５Ｂを駆動することにより、室外気は導入ダクト２７Ａから順に、流入室３１、搬送ファン２５Ｂ、流出室３３、導入ダクト２７Ｂを通って室内機ユニット３Ｂに流入する。
【００４８】
上述のように、室内機ユニット３Ａ，３Ｂ，３Ｃのダストボックス６５から塵埃集積部７に集積された塵埃は、所定のタイミングで回収される。
具体的には、開閉扉９を開き（図１参照）、塵埃集積部７から収納容器１３を取り出すことにより、塵埃集積部７に集積された塵埃を回収する。
【００４９】
また、エアフィルタ４１、塵埃除去部６３およびダストボックス６５は、定期的に点検や清掃が行われてもよい。このとき、エアフィルタ４１、塵埃除去部６３およびダストボックス６５は、吸込みグリル５１とともに室内機ユニット３Ａ（天面パネル３９）から吊り下ろされる。
具体的には、図５に示すように、リモコン等の操作により昇降モータ８９が回転制御され、スプロール９５に巻き取られていたワイヤ９３を繰り出す。ワイヤ９３が繰り出されると、プーリ９１が回転し、吸込みグリル５１は姿勢を略水平に保ったまま筐体３７から吊下ろされる。なお、この時、吸込みグリル５１に配置されたエアフィルタ４１、塵埃除去部６３およびダストボックス６５なども吸込みグリル５１とともに吊下ろされる。
ダストボックス６５と搬送ダクト２３とは、図８に示すように、吸込み部７５と搬送ダクト２３との間で切り離される。一方、吸込みグリル５１が天面パネル３９まで引き上げられると、吸込み部７５は搬送ダクト２３と嵌め合わされる。このとき、吸込み部７５の接続端部８３は、ラッパ状に形成されているため、搬送ダクト２３と容易に嵌めあわせをすることができる。
【００５０】
なお、室内機ユニット３Ｂ，３Ｃについては、発明の特徴部分である塵埃除去部６３およびダストボックス６５の構成が、室内機ユニット３Ａの塵埃除去部６３およびダストボックス６５の構成と同様であるので、その作用の説明を省略する。室内機ユニット３Ｂ，３Ｃにおけるその他の構成要素の作用については、公知の構成における作用と同様である。
【００５１】
上記の構成によれば、塵埃集積部７が設けられているため、複数の室内機ユニット３Ａ，３Ｂ，３Ｃにおいて、エアフィルタ４１から取り除かれた塵埃の回収を容易にすることができる。
塵埃集積部７には、複数のダストボックス６５に貯留された塵埃が集められているため、塵埃集積部７に集められた塵埃を回収することで、複数のダストボックス６５に貯留された塵埃を一括して回収することができる。つまり、塵埃集積部７から塵埃を回収することで、複数の室内機ユニット３Ａ，３Ｂ，３Ｃにおいてエアフィルタ４１から取り除かれた塵埃を回収することができる。
【００５２】
塵埃集積部７には収納容器１３が設けられているため、塵埃集積部７から塵埃を容易に回収することができる。
収納容器１３は、塵埃集積部７に集められた塵埃を内部に収めることができる。また、収納容器１３は、塵埃集積部７から取り出し可能に構成されている。そのため、塵埃集積部７から収納容器１３を取り出すことにより、塵埃集積部７に集められた塵埃を容易に回収することができる。
【００５３】
搬送ダクト２３，２３Ａ，２３Ｂと搬送ファン２５Ａ，２５Ｂとが設けられているため、ダストボックス６５に貯留された塵埃を塵埃集積部７に確実に集めることができる。
搬送ダクト２３，２３Ａ，２３Ｂは、各ダストボックス６５と塵埃集積部７との間を繋いで配置されている。そのため、各ダストボックス６５に貯留された塵埃を、搬送ダクト２３，２３Ａ，２３Ｂを通して塵埃集積部７に集めることができる。また、搬送ダクト２３，２３Ａ，２３Ｂには、塵埃を塵埃集積部７へ搬送する搬送ファン２５Ａ，２５Ｂが設けられている。そのため、ダストボックス６５に貯留された塵埃は、搬送ファン２５Ａ，２５Ｂにより吸い出され、塵埃集積部７に送り込まれる。
【００５４】
導入ダクト２７Ａ，２７Ｂが設けられているため、室内機ユニット３Ｂを介して室外気を室内に導入することができる。
導入ダクト２７Ａ，２７Ｂによる室外気の導入に搬送ファン２５Ｂを用いているため、室外気の導入に専用のファンを用いる方法と比較して、使用するファンの数を減らすことができ、設置スペースの削減を図るとともに、製造コストの低減を図ることができる。
【００５５】
ダストボックス６５の底面８１は、吸込み部７５に向かって下方に傾斜する傾斜面であるため、ダストボックス６５内の塵埃を効率よく塵埃集積部７に集めることができる。
ダストボックス６５の底面８１は、吸込み部７５に向かって下方に傾斜する傾斜面であるため、ダストボックス６５内の塵埃は、重力によって吸込み部７５の周辺に集められる。そのため、ダストボックス６５内の塵埃は、効率よく吸込み部７５から搬送ダクト２３，２３Ａに吸込まれ、塵埃集積部７に集められる。
【００５６】
ダストボックス６５の一方の端部に吸込み部７５が設けられ、他方の端部に給気部７７が設けられているため、ダストボックス６５内の塵埃を効率よく塵埃集積部７に集めることができる。
ダストボックス６５の一方の端部に吸込み部７５が設けられ、他方の端部に給気部７７が設けられているため、給気部７７からダストボックス６５内に流入した空気は吸込み部７５に向かって流れる。塵埃はこの空気の流れによって吸込み部７５の周辺に集められる。そのため、ダストボックス６５内の塵埃を効率よく吸込み部７５に吸い込ませて、塵埃集積部７に集めることができる。
【００５７】
吸込み部７５は、搬送ダクト２３の外周を覆うとともに、塵埃の吸出し方向に向かってその断面積が広くなる筒状に形成されているため、ダストボックス６５と搬送ダクト２３，２３Ａとの接続を容易にすることができる。
吸込み部７５に搬送ダクト２３，２３Ａを差し込む場合、吸込み部７５は先端側の断面積が広くなる筒状、すなわち接続端部８３が形成されているため、搬送ダクト２３，２３Ａを吸込み部７５に容易に差し込むことができる。
【符号の説明】
【００５８】
１  空気調和機
３Ａ，３Ｂ，３Ｃ  室内機ユニット
５  室外機ユニット
７  塵埃集積部
１３  収納容器
２３，２３Ａ，２３Ｂ  搬送ダクト
２５Ａ  搬送ファン
２５Ｂ  搬送ファン（導入ファン）
２７Ａ，２７Ｂ  導入ダクト
４１  エアフィルタ（フィルタ）
５３Ａ  送風ダクト
６３  塵埃除去部
６５  ダストボックス（塵埃貯留部）
７５  吸込み部
７７  給気部
８１  底面